(57)【要約】【課題】  本発明は廉価にして組立て容易で、しかも安定した自立用のスタンドをもった台紙を新規に提供しようとするものである。【解決手段】  本発明は台紙の中間に下辺を折目とする有端囲み形の縦長切目枠を設け、該切目枠内の部分を折目より折り起こし展開することにより、傾斜脚を形成するようにし、該傾斜脚の長手方向に切込みを設け、該切込みの外部分を展開することにより、傾斜脚につながった水平脚を形成するようにし、該水平脚に前記台紙の下端に掛止する小折立て片を設けたことを特徴とする自立用のスタンド付台紙にある。【選択図】図４
2005110742.tif 000002
【特許請求の範囲】
【請求項１】
台紙の中間に下辺を折目とする有端囲み形の縦長切目枠を設け、該切目枠内の部分を折目より折り起こし展開することにより、傾斜脚を形成するようにし、該傾斜脚の長手方向に切込みを設け、該切込みの外部分を展開することにより、傾斜脚につながった水平脚を形成するようにし、該水平脚に前記台紙の下端に掛止する小折立て片を設けたことを特徴とする自立用のスタンド付台紙。
【請求項２】
水平脚の前端を台紙の切目より表側に表出して写真等の当て載せ用の支持台とする請求項１記載の自立用のスタンド付台紙。
【請求項３】
台紙の上方に当て載せする写真等の挟み押え片を設けた請求項２記載の自立用のスタンド付台紙。
【請求項４】
写真を糊付フィルムの被せ貼りにより台紙上に貼付けるようにして台紙を糊付面なしにして、該台紙の中間に下辺を折目とする有端囲み形の縦長切目枠を設け、該切目枠内の部分を折目より折り起こし展開することにより、傾斜脚を形成するようにし、該傾斜脚の長手方向に切込みを設け、該切込みの外部分を展開することにより、傾斜脚につながった水平脚を形成するようにし、該水平脚に前記台紙の下端に掛止する小折立て片を設けたことを特徴とする自立用のスタンド付の写真貼付台紙。
【発明の詳細な説明】
【技術分野】
【０００１】
この発明は簡易な構成にて安定して立て置きすることのできる自立用のスタンド付台紙に関するものである。
【背景技術】
【０００２】
従来、写真などの台紙は、実公平２−２８７８１号公報、実公平５−１９０１０号公報、実公平６−１５５２１号公報に示されるように、台紙と別に形成するスタンド部材を用いて、また実開平５−８４２５９号公報、特開平９−３０８５５７号公報に開示されているように箱形に組立てて立て置きするようにしている。また写真などは袋枠状の掲示枠を設けてこの掲示枠内に挿込んで固定するようにしている。
【０００３】
しかしながら、このように別体のスタンド部材を用いたり、箱形にすることは手間がかかり、また厚みが増して不便であるという問題があり、また掲示枠内に後ろや横から写真などを曲がらずにきちんと入れるのは難儀するという問題がある。
【特許文献１】実公平２−２８７８１号公報
【特許文献２】実公平５−１９０１０号公報
【特許文献３】実公平６−１５５２１号公報
【特許文献４】実開平５−８４２５９号公報
【特許文献５】特開平９−３０８５５７号公報
【発明の開示】
【発明が解決しようとする課題】
【０００４】
本発明が解決しようとする問題点は、廉価にて製造することができ、嵩張らず、簡単に組立てて安定して立て置きすることができる台紙を提供するという点にある。
【課題を解決するための手段】
【０００５】
本発明は台紙の中間に下辺を折目とする有端囲み形の縦長切目枠を設け、該切目枠内の部分を折目より折り起こし展開することにより、傾斜脚を形成するようにし、該傾斜脚の長手方向に切込みを設け、該切込みの外部分を展開することにより、傾斜脚につながった水平脚を形成するようにし、該水平脚に前記台紙の下端に掛止する小折立て片を設けるようにして、かかる課題を解決したのである。
【発明の効果】
【０００６】
本発明は台紙に傾斜脚と台紙の下端に掛止する水平脚を縦長切目枠の打抜きという簡易な手段で形成するようにしたので、別途脚部を形成したり、大きな材料をもって箱形に組立てるものに較べて著しく廉価において自立用のスタンド付台紙を提供することができるという効果を生ずる。
【０００７】
傾斜脚を折り起こし、水平脚を台紙の下端に掛止するという簡便さで組立てることができるという効果を生ずる。
【０００８】
水平脚を設けて台紙の下端に掛止するようにしたので、スタンドを安定して台紙を自立させることができるという効果を生ずる。
【０００９】
１枚の台紙の中間部の切り起こしによりスタンドを形成するようにしたので、使用前または使用後には場所をとらずに保管することができるという効果を生ずる。
【００１０】
水平脚の前端を台紙の切目より台紙の表側に表出させて支持台とするときは写真等を簡単に当て載せることができるという効果を生ずる。
【００１１】
挟み押え片を設けることにより水平脚上に当て載せした写真等を台紙に固定することができるという効果を生ずる。
【００１２】
糊付フィルムの被せ貼りにて写真を台紙に貼付けるようにしたので、台紙の中間には糊の付着がないから、縦長切目枠内の折り起こしに全く困難が生ぜず、また縦長切目枠内の折り起こしによって生ずる縦長孔も糊付フィルムと写真によりかくされるために、表面からは見えないという効果を生ずる。
【発明を実施するための最良の形態】
【００１３】
台紙の中間に下辺を折目とする有端囲み形の縦長切目枠を設け、該切目枠内の部分を折目より折り起こし展開して傾斜脚を形成するようにし、該傾斜脚の長手方向に切込みを設け、該切込みの外部分を展開することにより、傾斜脚につながった水平脚を形成するようにし、該水平脚に前記台紙の下端に掛止する小折立て片を設けて、台紙の下端に掛止して、スタンドを組立てて台紙を安定して自立するようにして、安価で簡易な構造にて自立用のスタンド付台紙を提供することができるようにしたのである。
【実施例１】
【００１４】
図１乃至図４は本発明の第１実施例を示すもので、厚紙，プラスチック板，合成紙などにて形成する横長矩形状の台紙１の中間に横方向に間隔を置いて２個所の縦長切目枠２ａ，２ｂを設ける。縦長切目枠２ａ，２ｂは下辺を折目３として残して他の三辺を打抜きする有端囲み形にて形成し、さらに縦長切目枠２ａ，２ｂ内のそれぞれ長手方向に切込み４ａ，４ｂを設けて分割し、縦長切目枠２ａ，２ｂ内を折目３から斜め下方に折り起こす傾斜脚５ａ，５ａを構成するとともに前記切込み４ａ，４ｂにより分割した外部分を傾斜脚５ａにつながって台紙１側に展開する水平脚５ｂ，５ｂとするのである。４ｃは切り離し線である。さらに水平脚５ｂ，５ｂの各前端部に上方に折曲げる小折立て辺５ｃ，５ｃを設ける。なお縦長切目枠２ａ，２ｂの打抜きと同時に折目３と小折立て辺５ｃ，５ｃの基側に凹み線を形成しておくと折り起こしや折立てを容易且つきれいにすることができる。
【００１５】
台紙１を自立させるときは図２に示すように縦長切目枠２ａ，２ｂ内の傾斜脚５ａ，５ｂを折目３から折り起こし、次いで図３に示すように水平脚５ｂ，５ｂを台紙１側に展開するとともに小折立て辺５ｃ，５ｃを上向きに折立て、小折立て片５ｃ，５ｃを図４に示すように台紙１の前面に掛止固定して自立用のスタンド６，６とするのである。スタンド６は水平脚５ｂ，５ｂの小折立て片５ｃ，５ｃの掛止固定により傾斜脚５ａ，５ａの角度が保たれ、以って台紙１の安定した自立を維持することができるものとなる。なお傾斜脚５ａと水平脚５ｂ間は折目を付して図５に示すように直線状に組立てることもある。また立て置きをやめるときは逆順で曲げ戻しすることにより元の平らな台紙にして保管することができる。なお、台紙１の自立角度は立て置きして見やすい７０度角ほどにしているが傾斜脚５ａの長さと折目３の位置および水平脚５ｂの長さ調整により傾斜角度を変更することができる。
【実施例２】
【００１６】
図６（ａ）（ｂ）は自立用のスタンド６を中央１つにて形成した例を示すもので、安定を増すために縦長切目枠２幅を少し広くして傾斜脚５ａまたは水平脚５ｂを２本に形成したほかは前例に同じである。
【実施例３】
【００１７】
図７（ａ）（ｂ）（ｃ）は台紙１を縦長矩形状に使用する例を示すもので、スタンド６の縦長が長くなるほかは前例に同じである。
【実施例４】
【００１８】
図８（ａ）（ｂ）は小折立て片５ｃの他の掛止構造を示すもので、台紙１裏側の下方に左右両端を貼着した掛止片７を設け、小折立て片５ｃを台紙１の前面に掛止するかわりに掛止片７の中間の台紙１との間に挿込み掛止するようにしたのである。かくするときは小折立て片５ｃが台紙１の前面に表出しないこととなる。
【実施例５】
【００１９】
図９（ａ）（ｂ）は小折立て片５ｃと台紙１間を両面接着テープ８により接着固定する例を示すものである。両面接着テープ８は縦長切目枠２ａ，２ｂの形成と同時に小折立て片５ｃに一面を接着取付けすることができるので製造工程を増やすことなく形成することができる。
【実施例６】
【００２０】
図１０（ａ）（ｂ）は縦長切目枠２ａ，２ｂの下方に小折立て片５ｃ，５ｃの挿込み掛止用の切目９，９を設けた例を示すものである。切目９，９は縦長切目枠の形成時に同時に形成することができる。
【実施例７】
【００２１】
図１１は以上のように形成した台紙１をフォトスタンドとして写真１０を飾るようにした例であって、台紙１と同形で裏面を剥離紙１１で覆った柄枠付等の透明な糊付フィルム１２の一端を台紙１の前面に貼り、図１１（ａ）（ｂ）に示すように写真１０を台紙１の中間に位置合わせして載せ、剥離紙１１を剥がしながら糊付フィルム１２を写真１０と周囲の台紙１に糊付けして密着被覆するのである。糊付フィルム１２の被せ貼りにより写真１０を台紙１に貼付けるときは、フィルムおよび糊とも無色透明にて写真１０を鮮明に透視し得るようにして、被せ貼りにより色あせすることなく長期にわたり保存が可能となる。台紙１の中間、特に縦長切目枠２ａ，２ｂ部分には糊の付着がないから、前記してきた各実施例が実現可能である。同様にして写真以外のカード状資料等を糊付フィルム１２にて密着被覆して飾ることもできる。
【実施例８】
【００２２】
図１２は台紙１の表側の縦長切目枠２ａ，２ｂ内をさけた位置の数個所に両面接着テープ８の一面を貼付け、両面接着テープ８の剥離紙を剥がして写真や絵はがき１０ａなどを接着掲示するようにした例を示すものである。両面接着テープ８を用いずに写真等を縦長切目枠内を除いた台紙１部分に糊付けすることもできる。
【実施例９】
【００２３】
図１３乃至図１６は写真１０などの他の掲示例で、図１３は（ａ）に示すように台紙１の縦長切目枠２ａ，２ｂの各下方中間に水平脚５ｂ，５ｂを貫通する切目９ａ，９ａを設け、（ｂ）に示すように切目９ａ，９ｂより表側に表出した水平脚５ｂ，５ｂの前端を支持台として写真１０を容易に当て載せ置きすることができるようにしたものである。図１４は台紙１中間の上方に上辺を折目３とする小切目枠２ｃを形成し、該小切目枠２ｃ内を表側に折り起こして挟み押え片１３を設けたものである。図１４（ｂ）に示すように台紙１と小折立て片５ｃ，５ｃおよび折り起こした挟み押え片１３の間に写真１０を入れて水平脚５ｂ，５ｂ上に載せてから矢印にて示すように水平脚５ｂ，５ｂを裏側に引くと写真１０の下端は台紙１と小折立て片５ｃ，５ｃにより、上端は挟み押え片１３の戻り押えによりそれぞれ挟み押えされて安定して固定されることとなる。図１５は重ねた数葉の写真１０を同様にして挟み固定した例を示している。水平脚５ｂ，５ｂを前方に押出して弛めることにより写真１０を取出して掲示する写真１０を入れ替えることができる。図１５は同じ台紙１をもって月別のカレンダー１４を掲示した例を示すもので、月替わりにカレンダー１４を簡単に差し替えることができることとなる。
【実施例１０】
【００２４】
図１７はメダル１５などを飾るための自立台紙の例を示すもので、台紙１の縦長切目枠２ａ，２ｂの下方の間隔を置いた２個所等に切起こし支え部１６を設け、この切起こし支え部１６を台紙１の表側に起こし立ててメダル１５を当て載せて飾るのである。前例のようにして両面接着テープ８や糊で関連の写真や説明書などを貼れば縦長切目枠２の部分を覆い隠すことができて見栄えをよくすることができる。
【実施例１１】
【００２５】
図１８はメッセージカード１７を別途作成して台紙１とセットする例を示すもので、メッセージカード１７は２つの縦長切目枠２ａ，２ｂ間の幅より大きく形成し、縦長切目枠２ａ，２ｂ間の内側を通して挿込み止めするのである。写真１０をプレゼントする際に台紙１の表面に前記の糊付フィルム１２で写真１０を飾り、メッセージカード１７に言葉を添えて台紙１裏にセットして贈れば大いに喜ばれるものとなる。メッセージカード１７は本人が写真に係る想い出をメモするようにして使うこともできる。
【実施例１２】
【００２６】
なお以上の実施例では縦長または横長矩形状の台紙を例としているが、図１９に示すように三角形やハート形、人型などの異形状の台紙１を作ることもできる。
【実施例１３】
【００２７】
また自立用のスタンド６は図２０に示すように丸形や三角形等色々な形にて形成することもできる。また台紙の裏面に組立方の説明を図示印刷することもある。
【産業上の利用可能性】
【００２８】
本発明以上のようにして、台紙１枚の打抜きにて安価で組立て容易な、しかも安定した自立用のスタンド付台紙を提供することができるので、アルバムや箱などにしまい置きしがちな写真や記念メダルなどを気軽に飾って楽しむことができることとなる。また展示会における展示品の説明書、集会における名札なども簡易に安定して立て置き掲示することができるものとなる。
【図面の簡単な説明】
【００２９】
【図１】（第１実施例）台紙の正面図
【図２】同、縦長切目枠内の部分を折目より折り起こした状態を示す裏面部分斜視図
【図３】同、折り起こした傾斜脚とつながった水平脚を先部の小折立て片を折立てて台紙側に展開した状態を示す裏面部分斜視図
【図４】小折立て片を台紙の前面に掛止固定して自立用のスタンドを構成して台紙を立て置きした状態を示す側面図
【図５】傾斜脚と水平脚間を直線状に折った例を示す裏面部分斜視図
【図６】（第２実施例）縦長切目枠を台紙の中央に１個設けた例で、（ａ）は傾斜脚の両側に２本の水平脚を設けた例、（ｂ）は外枠２本の傾斜脚の中間に１本の水平脚を設けた例を示す各正面図と裏面斜視図
【図７】（第３実施例）（ａ）（ｂ）（ｃ）は台紙を縦長矩形状とした例を示す正面図
【図８】（第４実施例）台紙の裏面下方に両端を貼着した掛止片を設けた例で、（ａ）はその裏面図、（ｂ）はスタンド組立て時の部分側面図
【図９】（第５実施例）小折立て片に両面接着テープを設けた例で、（ａ）はその裏面図、（ｂ）はスタンド組立て時の部分側面図
【図１０】（第６実施例）縦長切目枠の下方に小折立て片の挿込み掛止用の切目を設けた例で、（ａ）はその裏面図、（ｂ）はスタンド組立て時の裏面斜視図
【図１１】（第７実施例）台紙の表面に写真を掲示する例を示すもので、（ａ）は写真の載せ置き前の状態にて示す斜視図、（ｂ）は糊付フィルムを写真と周辺台紙に密着被覆した状態を示す斜視図、（ｃ）はスタンドを組立てて台紙を立て置きした状態にて示す表側斜視図
【図１２】（第８実施例）台紙の表側に両面接着テープを設けた例を絵はがきの貼付け前の状態にて示す正面図
【図１３】（第９実施例）（ａ）は縦長切目枠の下方中間に切目を設けた台紙を示す正面図、（ｂ）は切目より水平脚の前端を台紙の表側に表出させて支持台として写真を当て載せした状態を示す斜視図
【図１４】（ａ）は台紙の中間上方に小切目枠による挟み押え片を設けた正面図、（ｂ）は水平脚を表側に表出して小折立て片を立て、挟み押え片を折り起こして写真を当て載せした状態の側面図、（ｃ）は水平脚の引きと上部押え片の戻り押えにより写真が固定された状態を示す側面図
【図１５】同、重ねた数葉の写真を挟み固定した状態を示す側面図
【図１６】同、月別カレンダーを掲示例を示す正面図
【図１７】（第１０実施例）（ａ）は台紙に切り起こし支え部を設けてメダルを下支え掲示した状態を示す正面図、（ｂ）は要部の拡大側断面図
【図１８】（第１１実施例）（ａ）は２個所の縦長切目枠間の内側に別途作成したメッセージカードを挿込みセットした状態にて示す裏面図、（ｂ）は同、メッセージカードを抜き外し、スタンドを組立てた状態にて示す裏面斜視図
【図１９】（第１２実施例）異形状に形成した台紙の数例を示す正面図
【図２０】（第１３実施例）スタンドを丸形，三角形に形成した例を示す裏面斜視図
【符号の説明】
【００３０】
１は台紙
２，２ａ，２ｂは縦長切目枠
２ｃは小切目枠
３は折目
４ａ，４ｂは切込み
４ｃは切り離し線
５ａは傾斜脚
５ｂは水平脚
５ｃは小折り立て片
６はスタンド
７は掛止片
８は両面接着テープ
９，９ａは挿込み掛止用の切目
１０は写真
１０ａは絵はがき
１１は剥離紙
１２は糊付フィルム
１３は挟み押え片
１４は月別カレンダー
１５はメダル
１６は切り起こし支え部
１７はメッセージカード
【図１】
2005110742.tif 000003
【図２】
2005110742.tif 000004
【図３】
2005110742.tif 000005
【図４】
2005110742.tif 000006
【図５】
2005110742.tif 000007
【図６】
2005110742.tif 000008
【図７】
2005110742.tif 000009
【図８】
2005110742.tif 000010
【図９】
2005110742.tif 000011
【図１０】
2005110742.tif 000012
【図１１】
2005110742.tif 000013
【図１２】
2005110742.tif 000014
【図１３】
2005110742.tif 000015
【図１４】
2005110742.tif 000016
【図１５】
2005110742.tif 000017
【図１６】
2005110742.tif 000018
【図１７】
2005110742.tif 000019
【図１８】
2005110742.tif 000020
【図１９】
2005110742.tif 000021
【図２０】
2005110742.tif 000022